(57)【特許請求の範囲】
【請求項１】
時間を計測する時計手段と、前記時計手段により計測された時間を表示する時間表示手段とを備え、１２時間制及び２４時間制を用いて時間表示を制御する時計機能を有する電子機器であって、
前記電子機器に関する情報を表示する表示手段と、
前記表示手段に表示される情報に用いられる使用言語を任意に設定するための言語設定手段と、
前記電子機器に接続又は内蔵されている機器の使用環境に関する環境情報を任意に設定するための環境情報設定手段と、
前記環境情報設定手段から設定された環境情報と、前記言語設定手段から設定された使用言語とに基づいて、前記電子機器の使用環境を特定する使用環境特定手段と、
前記使用環境特定手段により特定された使用環境に応じて、１２時間制及び２４時間制のいずれを用いて時間を表示するかを選択する時制選択手段と、
前記時制選択手段により選択された時制を用いて、前記時計手段により計測された時間を前記時間表示手段に表示させる時間表示制御手段とを備えたことを特徴とする時計機能を有する電子機器。
【請求項２】
前記環境情報は、前記電子機器に接続又は内蔵されているキーボードの種類であることを特徴とする請求項１に記載の時計機能を有する電子機器。
【請求項３】
前記使用環境は、前記電子機器の使用対象国又は使用対象地域であることを特徴とする請求項１又は２に記載の時計機能を有する電子機器。
【請求項４】
請求項１乃至３のいずれかに記載の時計機能を有する電子機器は、被記録媒体に印刷データに基づいて印刷する印刷手段を備えた印刷装置であって、
前記時計手段により計測された時間を印刷する場合に、前記印刷手段が用いる印刷フォーマットを任意に設定するための印刷フォーマット設定手段を備えたことを特徴とする印刷装置。
【発明の詳細な説明】
【技術分野】
【０００１】
本発明は、時計機能を有する電子機器及び印刷装置に関し、詳細には、１２時間制及び２４時間制を用いて時間表示を制御するものに関する。
【背景技術】
【０００２】
従来、ファクシミリ，プリンタ，テレビ，パーソナルコンピュータなどの各種電子機器は、時間を計測するためのいわゆる時計ＩＣなどを内蔵しておき、現在日時の表示や予約タイマの設定などの各種機能を実現している。一般には、各種電子機器で時間を表示する場合には、１２時間制（例えば、ＰＭ２：００）と２４時間制（例えば、１４：００）とが用いられる。そして、いずれの時制を用いて時間を表示するかは、各種電子機器にあらかじめ設定されているのが通常である。
【０００３】
ところで、時間表示の時制として１２時間制と２４時間制とのいずれが好まれるかは、ユーザが属する地域などによって判断することができる。具体的には、アメリカ人やカナダ人は１２時間制の時間表示を好むことが知られている。そのため、電子機器の仕向け地に応じて、あらかじめ最適な時間表示の時制を当該電子機器の製造時に設定しておくことが、一般に行われている。
【０００４】
また、時計機能の時間表示を切り替える技術として、標準時間から夏時間の切り替えのためのスイッチを具備し、このスイッチを操作する度に設定時間を１時間進めたり、遅らせたりすることができるファクシミリ装置が知られている。これによれば、オペレータの操作を簡略化して、標準時間と夏時間との切り替えを容易に行うことができる（例えば、特許文献１参照）。
【特許文献１】特開平６−２８４２３６号公報
【発明の開示】
【発明が解決しようとする課題】
【０００５】
しかしながら、従来の時計機能を有する電子機器では、ユーザがその時間表示の時制を好まない場合には、当該電子機器において所定の設定操作を行って時制を切り替える手間が生じていたため、ユーザにとって不便であった。一方、電子機器の製造時（出荷前）にあらかじめ最適な時間表示の時制を設定しておくには、各電子機器の仕向け地に応じて最適な時間表示の時制を設定する作業を行う必要があり、製造者にとって不便であった。
【０００６】
また、特許文献１に記載の発明のように、電子機器に時計機能の時間表示を切り替えるスイッチを設け、このスイッチの操作に応じて１２時間制と２４時間制とを切り替えるようにすることが考えられる。しかしながら、このような時間表示の切り替え用スイッチを設けると、当該電子機器の製造に関する手間やコストが増大する問題があった。また、時間表示を最適な時制に切り替えるために、ユーザや製造者が必要に応じてスイッチ操作を行う手間が生じるという問題があった。
【０００７】
本発明は上記課題を解決するためになされたものであり、１２時間制及び２４時間制を用いた時間表示を切り替えるための操作を必要とせずに、ユーザに応じた最適な時制で時間表示を実行することができる時計機能を有する電子機器及び印刷装置の提供を目的とする。
【課題を解決するための手段】
【０００８】
上記目的を達成するために、請求項１に係る発明の時計機能を有する電子機器は、時間を計測する時計手段と、前記時計手段により計測された時間を表示する時間表示手段とを備え、１２時間制及び２４時間制を用いて時間表示を制御する時計機能を有する電子機器であって、前記電子機器に関する情報を表示する表示手段と、前記表示手段に表示される情報に用いられる使用言語を任意に設定するための言語設定手段と、前記電子機器に接続又は内蔵されている機器の使用環境に関する環境情報を任意に設定するための環境情報設定手段と、前記環境情報設定手段から設定された環境情報と、前記言語設定手段から設定された使用言語とに基づいて、前記電子機器の使用環境を特定する使用環境特定手段と、前記使用環境特定手段により特定された使用環境に応じて、１２時間制及び２４時間制のいずれを用いて時間を表示するかを選択する時制選択手段と、前記時制選択手段により選択された時制を用いて、前記時計手段により計測された時間を前記時間表示手段に表示させる時間表示制御手段とを備えたことを特徴とする。
また、請求項２に係る発明の時計機能を有する電子機器は、請求項１に記載の発明の構成に加え、前記環境情報は、前記電子機器に接続又は内蔵されているキーボードの種類であることを特徴とする請求項１に記載の時計機能を有する電子機器。
【０００９】
【００１０】
【００１１】
【００１２】
【００１３】
また、請求項３に係る発明の時計機能を有する電子機器は、請求項１又は２に記載の発明の構成に加え、前記使用環境は、電子機器の使用対象国又は使用対象地域であることを特徴とする。
【００１４】
また、請求項４に係る発明の印刷装置は、請求項１乃至３のいずれかに記載の時計機能を有する電子機器が、被記録媒体に印刷データに基づいて印刷する印刷手段を備えたものであって、前記時計手段により計測された時間を印刷する場合に、前記印刷手段が用いる印刷フォーマットを任意に設定するための印刷フォーマット設定手段を備えたことを特徴とする。
【発明の効果】
【００１５】
請求項１に係る発明の時計機能を有する電子機器では、電子機器が使用される環境を特定して、その使用環境に応じて１２時間制及び２４時間制のいずれを用いて時間を表示するかを選択し、その選択された時制を用いて時間を表示するようにした。電子機器に接続又は内蔵されている機器の使用環境に関する環境情報を任意に設定するための手段と、表示手段での表示情報に用いられる使用言語を任意に設定するための手段とを備えて、これらから設定された環境情報及び使用言語とに基づいて電子機器の使用環境を特定するようにした。よって、ユーザや製造者が任意に設定した環境情報及び使用言語に応じて、１２時間制及び２４時間制のいずれか適した時制を用いた時間表示を実行することができる。
また、請求項２に係る発明の時計機能を有する電子機器では、請求項１に記載の発明の効果に加え、電子機器に接続又は内蔵されているキーボードの種類に応じて、１２時間制及び２４時間制のいずれか適した時制を用いた時間表示を実行することができる。
【００１６】
【００１７】
【００１８】
【００１９】
【００２０】
また、請求項３に係る発明の時計機能を有する電子機器では、請求項１又は２に記載の発明の効果に加え、使用環境は電子機器の使用対象国又は使用対象地域である。よって、電子機器の使用対象国又は使用対象地域に応じて、１２時間制及び２４時間制のいずれか適した時制を用いた時間表示を実行することができる。
【００２１】
また、請求項４に係る発明の印刷装置では、請求項１乃至３のいずれかに記載の発明の効果に加え、被記録媒体に印刷データに基づいて印刷するものであって、時間を印刷する場合に用いる印刷フォーマットを任意に設定するための手段を備えた。よって、被記録媒体に対して最適な印刷フォーマットで時間を印刷することができる。
【発明を実施するための最良の形態】
【００２２】
以下、本発明を実施するための第１の実施の形態について、図面を参照して説明する。まず、図１を参照して、テープ印刷装置１の全体構成について説明する。図１は、本発明の第１の実施の形態における、テープ印刷装置１のテープ収納部の蓋を取り去った状態を示す平面図である。
【００２３】
図１に示すように、テープ印刷装置１の後部には、後述するテープカセット５１（図２参照）を収納する凹部であるテープカセット収納部２が設けられ、また、テープ印刷装置１の前部には、文字や記号を入力するキーボード部３が設けられ、キーボード部３には、文字、記号及び機能のコマンドを入力するキー３Ａが複数配列されている。また、テープカセット収納部２とキーボード部３との間には、液晶表示部４が設けられ、キーボード部３で入力された文字、記号等が表示可能となっている。
【００２４】
次に、図２乃至図４を参照して、テープ印刷装置１のテープカセット収納部２に装着されるテープカセット５１の構造を説明する。図２は、テープカセット５１の斜視図である。図３は、テープカセット５１の底面図である。図４は、上ケース５２を取り外した状態の下ケース５３の平面図である。
【００２５】
図２乃至図４に示すように、テープカセット５１は上ケース５２と下ケース５３とから構成され、テープカセット５１には、後述する印字テープ６７の離形紙を外側に向けて巻回したテープスプール６８を回動可能に支持する支持孔５７、サーマルヘッド（図示外）により印字テープ６７上に文字等を印字する際にリボンスプール７０からインクリボン６９を引き出すとともに巻取るリボン巻取スプール７１を支持する支持孔５５が形成されている。なお、下ケース５３にも、上ケース５２に形成された各支持孔５５、５７に対向して、支持孔５５、５７が各々形成されている。
【００２６】
また、テープカセット５１の前側（図２中下側）には、テープスプール６８から引き出された印字テープ６７、及び、リボンスプール７０から引き出されたインクリボン６９を案内し、開口５８Ａから送出するアーム部５８が設けられており、かかるアーム部５８の後方にはテープ印刷装置１のサーマルヘッドが装着されるヘッド装着部５９が設けられている。
【００２７】
更に、ヘッド装着部５９においてアーム部５８と対向する壁部５９Ａにはテープカセット５１の後方に向かって入り込んだ第１嵌合部６０が形成され、また、ヘッド装着部５９の左側側壁には第１嵌合部６０と直交する方向（壁部５９Ａに沿った方向）に入り込んだ第２嵌合部６１が形成されている。これらの各第１嵌合部６０、第２嵌合部６１は、サーマルヘッドを支持する図示外のヘッドホルダに形成された２つの各突起部に嵌合されて、ヘッド装着部５９に対するサーマルヘッドの装着を各インクリボン６９、印字テープ６７に干渉することなく確実に行うためのものである。
【００２８】
更に、各インクリボン６９、印字テープ６７の走行方向に関しヘッド装着部５９の下流側において、テープ送りローラ６２が支持孔６３に回動可能に支持されており、かかるテープ送りローラ６２は、それに対向する側からテープ送りローラ６２に圧接される圧接ローラ（図示外）との協働により、テープスプール６８から印字テープ６７を引き出す。また、テープ送りローラ６２の近傍位置には上下一対の規制部材６４、６５が設けられており、これらの各規制部材６４、６５は、サーマルヘッドの下流側にて文字等が印字された印字テープ６７を幅方向に規制案内するものである。
【００２９】
次に、テープカセット５１の内部構成について説明する。図４に示すように、テープカセット５１の内部には、下ケース５３内の後部（図４中上部）において印字テープ６７を巻回したテープスプール６８が前記支持孔５７を介して回動可能に配置されている。また、下ケース５３の前部（図４中下部）には、インクリボン６９を巻回したリボンスプール７０が回動可能に配置され、更に、リボンスプール７０からインクリボン６９を引き出すとともに、文字等の印字にて消費されたインクリボン６９を巻き取るリボン巻取スプール７１が、テープスプール６８とリボンスプール７０との間で前記支持孔５５を介して回動可能に配置されている。
【００３０】
印字テープ６７は、前述したようにテープ送りローラ６２と図示外の圧接ローラ（テープ印刷装置側１に設けられている）との協働により、テープスプール６８から引き出され、アーム部５８の開口５８Ａからヘッド装着部５９の前側（図４下側）を通過した後、テープ排出部７４からテープカセット５１の外方へ排出される。
【００３１】
また、カセット装着部９の側方には、テープ排出部７４から排出された印字テープ６７を切断するカッター機構１４が配されている。カッター機構１４は、固定刃（図示外）に対して接離する回動可能な可動刃（図示外）を有している。そして、可動刃がカッター駆動回路１１０（図５参照）の駆動により回動して、固定刃との間ではさみの原理によりテープ排出部７４から排出された印字テープ６７を切断できるようになっている。
【００３２】
また、インクリボン６９は、リボン巻取スプール７１を介してリボンスプール７０から引き出され、アーム部５８の開口５８Ａからヘッド装着部５９の前側（図４中下側）を通過した後、各規制部材６４、６５の内方に形成された案内部７５に案内されてリボン巻取スプール７１の周囲に巻き取られる。尚、リボン巻取スプール７１の下部にはクラッチバネ７６が取り付けられており、このクラッチバネ７６はリボン巻取スプール７１が逆転して巻き取ったインクリボン６９が緩んでしまうことを防止するものである。
【００３３】
次に、図５乃至図１０を参照して、テープ印刷装置１の電気的構成について説明する。図５は、テープ印刷装置１の制御構成を示すブロック図である。図６は、ＲＯＭ１０２の構成を示す模式図である。図７は、１２時間制フォーマット記憶エリア１２３ａの構成を示す模式図である。図８は、２４時間制フォーマット記憶エリア１２３ｂの構成を示す模式図である。図９は、ＲＡＭ１０３の構成を示す模式図である。図１０は、ＣＰＵ１０１とキーボード部３とを接続するソルダーポイント５の構成図である。
【００３４】
図５に示すように、テープ印刷装置１は、ＣＰＵ１０１，ＲＯＭ１０２，ＲＡＭ１０３を有した制御装置１００を備えている。そして、ＣＰＵ１０１には、前述のキーボード部３と、時間を計測する発振回路であるＲＴＣ（ｒｅａｌ  ｔｉｍｅ  ｃｌｏｃｋ）回路１９と、サーマルヘッド１１を駆動するためのヘッド駆動回路１０７と、テープ送りモータ３７を駆動するためのモータ駆動回路１０８と、液晶表示部４に表示データを出力するためのビデオＲＡＭ（図示外）を有するディスプレイコントローラ（以下、ＬＣＤＣという）１０９と、カッター機構１４を駆動するためのカッター駆動回路１１０とが各々接続されている。なお、キーボード部３は、制御装置１００のプリント基板上にあらかじめ設けられた設定変更のための回路パターンであるソルダーポイント５を介してＣＰＵ１０１と接続されているが、詳細は後述する。
【００３５】
図６に示すように、ＲＯＭ１０２には、ＣＧデータ記憶領域１２１，プログラム記憶領域１２２，時制フォーマット記憶領域１２３，その他のデータ領域１２４が設けられている。ＣＧデータ記憶領域１２１には、アルファベット文字や記号等のキャラクタを印字するための多数のキャラクタの各々に関して、印字用ドットパターンデータが書体（ゴシック系書体、明朝体書体等）毎に分類され、各書体毎に６種類（１６、２４、３２、４８、６４、９６のドットサイズ）の印字文字サイズ分、コードデータに対応させて格納されている。また、グラフィック画像を印字するためのグラフィックパターンデータも記憶されている。
【００３６】
また、プログラム記憶領域１２２には、キーボード部３から入力された文字や数字等のキャラクタのコードデータに対応させてＬＣＤＣ１０９を制御する表示駆動制御プログラム、プリントバッファ１３２（図９参照）のデータを読み出してサーマルヘッド１１やテープ送りモータ３７を駆動する印字駆動制御プログラム、その他テープ印刷装置１の制御上必要な各種のプログラムが格納されている。そして、ＣＰＵ１０１は、かかるＲＯＭ１０２に記憶されている各種プログラムに基づいて各種の演算を行うものである。なお、後述のメイン処理（図１１参照）を実行するためのメイン制御プログラムも、プログラム記憶領域１２２に記憶されている。
【００３７】
また、時制フォーマット記憶領域１２３には、ＲＴＣ回路１９により計測された時間を、テープ上に印字する場合や液晶表示部４に表示する場合に用いられる複数のフォーマットが格納されている。本実施の形態では、時間表示（時間印刷）の時制として１２時間制と２４時間制とを利用可能であるため、１２時間制を用いた時間表示（時間印刷）のための１２時間制フォーマットと、２４時間制を用いた時間表示（時間印刷）のための２４時間制フォーマットとを備えている。
【００３８】
具体的には、図７及び図８に示すように、時制フォーマット記憶領域１２３は、複数の１２時間制フォーマットを記憶した１２時間制フォーマット記憶エリア１２３ａ（図７参照）と、複数の２４時間制フォーマットを記憶した２４時間制フォーマット記憶エリア１２３ｂ（図８参照）とから構成されている。そして、１２時間制フォーマット記憶エリア１２３ａ及び２４時間制フォーマット記憶エリア１２３ｂでは、複数のフォーマットが上から優先度の高い順に並べられている。そのため、テープ印刷装置１のデフォルト状態では、あらかじめ使用すべき１２時間制フォーマットとして「Ｐ／Ａ  ＨＨ：ＭＭ」が設定されており、あらかじめ使用すべき２４時間制フォーマットとして「ＨＨ：ＭＭ」が設定されている。なお、図７及び図８において、「ＨＨ」が二桁の時（Ｈｏｕｒ）であり、「ＭＭ」が二桁の分（Ｍｉｎｕｔｅ）であり、「ＳＳ」が二桁の秒（Ｓｅｃｏｎｄ）である。「Ｐ／Ａ」が午前（ＡＭ）と午後（ＰＭ）の別を示し、「ＭＭ／ＤＤ」が二桁の月（Ｍｏｎｔｈ）と二桁の日（Ｄａｙ）である。
【００３９】
図９に示すように、ＲＡＭ１０３には、テキストバッファ１３１，プリントバッファ１３２，時制フラグ記憶領域１３３，機能設定記憶領域１３４，その他データ領域１３５等が設けられている。テキストバッファ１３１には、キーボード部３から入力された文書データが格納される。また、プリントバッファ１３２には、複数の文字や記号等の印字用ドットパターンや各ドットの形成エネルギ量である印加パルス数等がドットパターンデータとして格納されている。サーマルヘッド１１はかかるプリントバッファ１３２に記憶されているドットパターンデータに従ってドット印字を行う。
【００４０】
また、時制フラグ記憶領域１３３には、時間表示（時間印刷）の時制として１２時間制と２４時間制とのいずれを利用すべきかを示す時制フラグが記憶されている。なお、時制フラグが「ＯＦＦ」とされて「０」を示す場合は、時間表示（時間印刷）の時制として１２時間制を使用すべきことを示す一方、時制フラグが「ＯＮ」とされて「１」を示す場合は、時間表示（時間印刷）の時制として２４時間制を使用すべきことを示す。
【００４１】
さらに、機能設定記憶領域１３４には、テープ印刷装置１の表示や印刷などの諸機能に関する設定内容が記憶されている。後述するように、機能設定記憶領域１３４に記憶される機能設定（例えば、使用言語や印刷フォーマットなど）は、ユーザや製造者が任意に変更可能であるが、初期状態ではあらかじめ定められた内容がデフォルト値（例えば、初期状態の使用言語は「英語」）として記憶されている。
【００４２】
以上の構成を有するテープ印刷装置１においては、その電源が投入されると、ＲＯＭ１０２（プログラム記憶領域１２２）に記憶されているメイン制御プログラムに基づいて、ＣＰＵ１０１により後述のメイン処理（図１１参照）が実行される。そして、キーボード部３の文字キーを介して文字等が入力されて印刷実行が指示されると、そのテキスト（文書データ）がＲＡＭ１０３のテキストバッファ１３１に順次記憶されていくとともに、ドットパターン発生制御プログラム及び表示駆動制御プログラムに基づいてキーボード部３を介して入力された文字等に対応するドットパターンが液晶表示部４上に表示される。また、サーマルヘッド１１はヘッド駆動回路１０７を介して駆動され、プリントバッファ１３２に記憶されたドットパターンデータの印字を行い、これと同期してテープ送りモータ３７がモータ駆動回路１０８を介してテープの送り制御を行うものである。ここで、サーマルヘッド１１は、ヘッド駆動回路１０７を介して発熱素子が１ライン分の印字ドットに対応して選択的に発熱駆動されることによって、文字等をテープ上に印字する。最後に、カッター機構１４がテープ排出部７４から排出されたテープを切断することで、一片のラベル片が作成される。
【００４３】
ところで、図１０に示すように、本実施の形態に係るテープ印刷装置１では、ＣＰＵ１０１とキーボード部３とは前述のソルダーポイント５を介して接続されている。すなわち、制御装置１００のプリント基板上では、電源ＶＣＣに抵抗Ｒを介して接続された配線Ｋ０がＣＰＵ１０１に接続されており、さらに配線Ｋ０には、３つのソルダーポイント５Ａ，５Ｂ，５Ｃも並列に設けられている。また、ＣＰＵ１０１とキーボード部３とは、３つの配線Ｋ１，Ｋ２，Ｋ３によって接続されている。そして、配線Ｋ０と配線Ｋ１とはソルダーポイント５Ａを介して接続可能であり、配線Ｋ０と配線Ｋ２とはソルダーポイント５Ｂを介して接続可能であり、配線Ｋ０と配線Ｋ３とはソルダーポイント５Ｃを介して接続可能である。
【００４４】
そして、テープ印刷装置１の製造時に、キーボード部３の種類（すなわち、キーボード部３の対象国や対象地域）に応じてソルダーポイント５Ａ，５Ｂ，５Ｃのいずれか一つをハンダ付けにより電気的に接続する。例えば、ソルダーポイント５Ａをハンダ付けすると配線Ｋ０及び配線Ｋ１が導通状態となるため、ＣＰＵ１０１ではソルダーポイント５Ａに対応するキーボード部３の種類を特定可能である。同様に、ソルダーポイント５Ｂをハンダ付けすると配線Ｋ０及び配線Ｋ２の導通状態となり、ソルダーポイント５Ｂに対応するキーボード部３の種類を特定可能である。また、ソルダーポイント５Ｃをハンダ付けすると配線Ｋ０及び配線Ｋ３の導通状態となり、ソルダーポイント５Ｃに対応するキーボード部３の種類を特定可能である。
【００４５】
なお、本実施の形態では、例えば、ソルダーポイント５Ａに対応するキーボード部３の対象国（対象地域）が「アメリカ」であり、ソルダーポイント５Ｂに対応するキーボード部３の対象国（対象地域）が「フランス」であり、ソルダーポイント５Ｂに対応するキーボード部３の対象国（対象地域）が「日本」である。ここでは、キーボード部３の対象国（対象地域）は「アメリカ」であって、テープ印刷装置１の製造時にソルダーポイント５Ａが接続されているものとする。
【００４６】
次に、上記の構成を有するテープ印刷装置１の動作について図１１乃至図１８を参照して説明する。図１１は、テープ印刷装置１のメインフローチャートである。図１２は、言語設定画面４ａの具体例を示す図である。図１３は、第１の実施の形態における、時制設定処理（Ｓ１５）の詳細を示すフローチャートである。図１４は、液晶表示部４における１２時間単位の時間表示を示す具体例である。図１５は、液晶表示部４における２４時間単位の時間表示を示す具体例である。図１６は、時間印刷処理（Ｓ１９）の詳細を示すフローチャートである。図１７は、フォーマット設定画面４ｂの具体例を示す図である。図１８は、フォーマット設定画面４ｃの具体例を示す図である。
【００４７】
テープ印刷装置１に電源が投入されて起動すると、図１１に示すように、各種の初期値やフラグ等の初期化が実行される（Ｓ１）。そして、キーボード部３から入力がなされるまで（Ｓ３：ＮＯ）、待ち状態となる。キーボード部３から入力がなされた場合（Ｓ３：ＹＥＳ）、その入力されたキー３Ａがテープ印刷装置１の機能設定を行うための「機能キー」でなければ（Ｓ５：ＮＯ）、そのキー３Ａは文字や記号を入力するための「キャラクタキー」であるため文書編集処理が実行される（Ｓ７）。Ｓ７の文書編集処理では、液晶表示部４に所定の文書編集画面が表示され、ユーザは「キャラクタキー」を用いて文書編集画面で任意の文書を作成することができる。
【００４８】
一方、その入力されたキー３Ａがテープ印刷装置１の機能設定を行うための「機能キー」であれば（Ｓ７：ＹＥＳ）、液晶表示部４に所定の機能設定画面が表示される。本実施の形態では、この機能設定画面に「言語設定キー」，「時制設定キー」，「時間印刷キー」，「印刷キー」などの複数の機能キーがコマンドメニューとして表示され、ユーザは図示外のテンキーやカーソルキーを用いて任意の機能キーを選択することができる。
【００４９】
そして、機能設定画面から「言語設定キー」が選択されると（Ｓ９：ＹＥＳ）、テープ印刷装置１において表示や印刷に用いられる言語を設定するための言語設定処理が実行される（Ｓ１１）。Ｓ１１の言語設定処理では、液晶表示部４に所定の言語設定画面が表示され、ユーザは言語設定画面で任意の言語を選択することができる。例えば、図１２に示す言語設定画面４ａでは、「Ｅｎｇｌｉｓｈ」，「Ｄｕｔｃｈ」，「Ｆｒｅｎｃｈ」，「Ｐｏｒｔｕｇｕｅｓｅ」などの複数の言語がメニュー表示されており、ユーザは図示外のテンキーやカーソルキーを用いて任意の言語を選択することができる。ここでは、ユーザは言語設定画面４ａから「Ｅｎｇｌｉｓｈ」を使用言語として選択したものとし、ＲＡＭ１０３の機能設定記憶領域１３４に使用言語「Ｅｎｇｌｉｓｈ」がセットされたものとする。
【００５０】
図１１に戻り、機能設定画面から「時制設定キー」が選択されると（Ｓ９：ＮＯ，Ｓ１３：ＹＥＳ）、テープ印刷装置１で用いられる時制を設定する時制設定処理が実行される（Ｓ１５）。図１３に示すように、本実施形態の時制設定処理では、まずソルダーポイント５Ａ，５Ｂ，５Ｃのいずれが接続されているかが特定される（Ｓ１０１）。このソルダーポイント５の特定は、前述のように配線Ｋ０，Ｋ１，Ｋ２，Ｋ３の導通状態から特定可能である。そして、Ｓ１０１で特定されたソルダーポイント５が「Ａ」であるか否かが判定される（Ｓ１０３）。Ｓ１０１で特定されたものがソルダーポイント５Ａであれば（Ｓ１０３：ＹＥＳ）、ＲＡＭ１０３の時制フラグ記憶領域１３３に記憶される時制フラグが「ＯＦＦ」とされて「０」を示すようになる（Ｓ１０５）。一方、Ｓ１０１で特定されたものがソルダーポイント５Ｂ，５Ｃであれば（Ｓ１０３：ＮＯ）、当該時制フラグが「ＯＮ」とされて「１」を示すようになる（Ｓ１０７）。
【００５１】
以上の処理により、時制フラグが「０」であれば、テープ印刷装置１での時間表示（時間印刷）に１２時間制が用いられる。例えば、図１４に示すように、液晶表示部４に時間を表示する場合は、午前・午後の区別を用いて１２時間単位の時間表示を行う。一方、時制フラグが「１」であれば、テープ印刷装置１での時間表示（時間印刷）に２４時間制が用いられる。例えば、図１５に示すように、液晶表示部４に時間を表示する場合は、午前・午後の区別を用いない２４時間単位の時間表示を行う。なお、本実施の形態では、テープ印刷装置１においてソルダーポイント５Ａが接続されており、キーボード部３の対象国（対象地域）は「アメリカ」であるから、上記の処理によって１２時間制が用いられるように時制フラグが「０」にセットされる。このように、時制設定処理（Ｓ１５）では、キーボード部３の種類に応じて、ユーザにとって最適な時制を自動的に設定することができる。
【００５２】
図１１に戻り、機能設定画面から「時間印刷キー」が選択されると（Ｓ１３：ＮＯ，Ｓ１７：ＹＥＳ）、テープ印刷装置１で計測されている時間をテープ上に印刷する時間印刷処理が実行される（Ｓ１９）。図１６に示すように、Ｓ１９の時間印刷処理では、まず時制フラグ記憶領域１３３に記憶された時制フラグが「０」であるか否かが判定される（Ｓ２０１）。そして、時制フラグが「０」であれば（Ｓ２０１：ＹＥＳ）、１２時間制フォーマット記憶エリア１２３ａ（図７参照）から印刷フォーマットを選択する１２時間制フォーマット選択処理が実行される（Ｓ２０３）。Ｓ２０３の１２時間制フォーマット選択処理では、液晶表示部４に所定のフォーマット選択画面が表示され、ユーザはこのフォーマット設定画面で任意の印刷フォーマットを選択することができる。例えば、図１７に示すフォーマット設定画面４ｂでは、１２時間制フォーマット記憶エリア１２３ａに記憶された複数のフォーマットを、ユーザは図示外のテンキーやカーソルキーを用いて順次表示させて任意の印刷フォーマットを選択することができる。なお、Ｓ２０３においてユーザが１２時間制フォーマットを選択しなかった場合は、最も優先度が高い１２時間制フォーマット（すなわち、「Ｐ／Ａ  ＨＨ：ＭＭ」）が印刷フォーマットして選択される。
【００５３】
一方、時制フラグが「１」であれば（Ｓ２０１：ＮＯ）、２４時間制フォーマット記憶エリア１２３ｂ（図８参照）から使用対象となるフォーマットを選択する２４時間制フォーマット選択処理が実行される（Ｓ２０５）。Ｓ２０５の２４時間制フォーマット選択処理では、液晶表示部４に所定のフォーマット選択画面が表示され、ユーザはこのフォーマット設定画面で任意の印刷フォーマットを選択することができる。例えば、図１８に示すフォーマット設定画面４ｃでは、２４時間制フォーマット記憶エリア１２３ｂに記憶された複数のフォーマットを、ユーザは図示外のテンキーやカーソルキーを用いて順次表示させて任意の印刷フォーマットを選択することができる。なお、Ｓ２０５においてユーザが２４時間制フォーマットを選択しなかった場合は、最も優先度が高い２４時間制フォーマット（すなわち、「ＨＨ：ＭＭ」）が印刷フォーマットして選択される。
【００５４】
Ｓ２０３又はＳ２０５で選択されたフォーマットは、ＲＡＭ１０３の機能設定記憶領域１３４に印刷フォーマットとしてセットされる。そして、ＲＴＣ回路１９により計測された時間情報が取得され（Ｓ２０７）、Ｓ２０３又はＳ２０５で選択された印刷フォーマットと、Ｓ２０７で取得された時間情報とに基づいて、時間印刷用の印刷データが作成される（Ｓ２０９）。最後に、Ｓ２０９で作成された印刷データに基づいて、テープ上への時間印刷が実行される（Ｓ２１１）。詳細には、Ｓ２０９で作成された印刷データに対応するドットパターンが液晶表示部４上に表示されると同時に、サーマルヘッド１１によるドットパターンデータの印字と、テープ送りモータ３７によるテープ送り制御とが同期して実行される。これにより、印刷フォーマットに応じた時間情報がテープ上に印字され、最後にカッター機構１４によりテープ切断されて一片のラベル片が作成される。
【００５５】
例えば、ユーザが１２時間制フォーマット「ＨＨ：ＭＭ  Ｐ／Ａ」を選択すれば、テープ上に「１１：５９  ＰＭ」のような印刷が施される一方、ユーザが２４時間制フォーマット「ＨＨ：ＭＭ：ＳＳ」を選択すれば、テープ上に「２３：５９：１９」のような印刷が施される。このように、時間印刷処理（Ｓ１９）では、ユーザは任意の印刷フォーマットを用いて、１２時間制又は２４時間制を用いた時間印刷を行うことができる。
【００５６】
図１１に戻り、機能設定画面から「印刷キー」が選択されると（Ｓ１７：ＮＯ，Ｓ２１：ＹＥＳ）、印刷すべき文字や画像をテープ上に印刷する印刷処理が実行される（Ｓ２３）。詳細には、テキストバッファ１３１に記憶された文字等に対応するドットパターンが液晶表示部４上に表示されると同時に、サーマルヘッド１１によるドットパターンデータの印字と、テープ送りモータ３７によるテープ送り制御とが同期して実行される。これにより、印刷対象の文字等がテープ上に印字され、最後にカッター機構１４によりテープ切断されて一片のラベル片を作成される。
【００５７】
なお、機能設定画面から他の機能キーが選択されると（Ｓ２１：ＮＯ）、その機能キーに応じた他の処理が実行される（Ｓ２５）。また、Ｓ７，Ｓ１１，Ｓ１５，Ｓ１９，Ｓ２３，Ｓ２５の各処理の実行後は、Ｓ３に戻って次の入力を待ち受ける。
【００５８】
以上、第１の実施の形態に係るテープ印刷装置１によれば、テープ印刷装置１に接続されているキーボード部３からソルダーポイント５を検出し、これに基づいてキーボード部３の対象国（対象地域）を特定し、それに応じて１２時間制及び２４時間制のいずれかを用いて時間表示（時間印刷）を行うようにした。よって、１２時間制及び２４時間制を用いた時間表示（時間印刷）を切り替えるための操作を必要とせずに、ユーザに応じた最適な時制で時間表示（時間印刷）を実行することができる。
【００５９】
さらに、時間印刷処理（Ｓ１９）の実行時には、ユーザが時制に応じて複数の１２時間制フォーマット又は複数の２４時間制フォーマットから任意の印刷フォーマットを設定できるようにした。よって、被記録媒体であるテープに対して最適な印刷フォーマットで時間を印刷することができる。
【００６０】
次に、本発明を実施するための第２の実施の形態について、図面を参照して説明する。本実施の形態に係るテープ印刷装置１は、基本的に第１の実施の形態にかかるものと同一であるが、時間表示（時間印刷）に用いられる時制の選択方法が異なる。以下、第１の実施の形態と異なる点について説明する。
【００６１】
まず、本実施の形態に係るテープ印刷装置１では、その製造時（製品出荷前）に以下の機能設定（出荷前設定処理）が実行されることを前提とする。図１９は、第２の実施の形態における、出荷前設定処理のメインフローチャートである。図２０は、コントラスト設定画面４ｄの具体例を示す図である。図２１は、仕向けパラメータ設定画面４ｅの具体例を示す図である。図２２は、メカ動作パラメータ設定画面４ｆの具体例を示す図である。図２３は、ＩＦ通信パラメータ設定画面４ｇの具体例を示す図である。
【００６２】
なお、テープ印刷装置１の出荷前設定処理では、製造者等が液晶表示部４に所定の初期機能設定画面を表示させて、その初期機能設定画面からキーボード部３を用いて各種機能設定を実行するものとする。なお、本処理は、テープ印刷装置１の製品完成から製品出荷までの任意のタイミングで、製造者が実行すればよい。
【００６３】
図１９に示すように、テープ印刷装置１の出荷前設定処理では、まず液晶表示部４のコントラスト（明暗比）の初期値を設定するコントラスト設定処理が実行される（Ｓ３０１）。Ｓ３０１のコントラスト設定処理では、図２０に示すようなコントラスト設定画面４ｄが液晶表示部４に表示され、製造者はこのコントラスト設定画面４ｄから液晶表示部４のコントラストを任意に設定することができる。
【００６４】
また、テープ印刷装置１の仕向け地を設定する仕向けパラメータ設定処理が実行される（Ｓ３０３）。Ｓ３０３の仕向けパラメータ設定処理では、図２１に示すような仕向けパラメータ設定画面４ｅが液晶表示部４に表示され、製造者はこの仕向けパラメータ設定画面４ｅからテープ印刷装置１の仕向け地を任意に設定することができる。本実施の形態では、あらかじめ設定されている複数の候補国から、製造者がテープ印刷装置１の仕向け地として「ＣＡＮＡＤＡ」を選択したものとする。
【００６５】
また、サーマルヘッド１１の熱特性を設定するメカ動作パラメータ設定処理が実行される（Ｓ３０５）。Ｓ３０５のメカ動作パラメータでは、図２２に示すようなメカ動作パラメータ設定画面４ｆが液晶表示部４に表示され、製造者はこのメカ動作パラメータ設定画面４ｆからサーマルヘッド１１の熱特性を任意に設定することができる。
【００６６】
また、テープ印刷装置１のＵＳＢ（図示外）のＩＤ番号を設定するＩＦ通信パラメータ設定処理が実行される（Ｓ３０７）。Ｓ３０７のＩＦ通信パラメータ設定処理では、図２３に示すようなＩＦ通信パラメータ設定画面４ｇが表示され、製造者はこのＩＦ通信パラメータ設定画面４ｇからＵＳＢ（図示外）のＩＤ番号を任意に設定することができる。
【００６７】
以上のようにして、テープ印刷装置１の出荷前設定処理が実行されると、テープ印刷装置１に各種初期機能が設定されて、その仕向け地に向けて出荷可能となる。Ｓ３０１乃至Ｓ３０７で設定された内容は、ＲＡＭ１０３の機能設定記憶領域１３４に記憶される。そして、テープ印刷装置１の初期起動時には、この機能設定記憶領域１３４に記憶された機能設定に基づいて各種動作が実行されることになる。
【００６８】
次に、上記のように出荷前機能設定が実行されたテープ印刷装置１の動作について、図２４を参照して説明する。図２４は、第２の実施の形態における、図１１のＳ１５に示される時制設定処理の詳細を示すフローチャートである。本実施の形態に係るテープ印刷装置１の動作は、第１の実施の形態（図１１）と基本的に同一であるが、前述の時制設定処理（Ｓ１５）の処理内容が異なる。以下、第１の実施の形態（図１１）と異なる点のみを説明する。
【００６９】
図２４に示すように、本実施形態の時制設定処理では、まずテープ印刷装置１の仕向け地が特定される（Ｓ４０１）。この仕向け地の特定は、出荷前設定処理（図１９）の仕向けパラメータ設定処理（Ｓ３０３）で設定された仕向け地を参照して行われる。そして、Ｓ４０１で特定された仕向け地が、本実施の形態において、例えば「アメリカ」又は「カナダ」であるか否かが判定される（Ｓ４０３）。Ｓ４０１で特定された仕向け地が「アメリカ」又は「カナダ」であれば（Ｓ４０３：ＹＥＳ）、時制フラグ記憶領域１３３に記憶される時制フラグが「ＯＦＦ」とされて「０」を示すようになる（Ｓ４０５）。一方、Ｓ４０１で特定された仕向け地が「アメリカ」又は「カナダ」以外の国であれば（Ｓ４０３：ＮＯ）、当該時制フラグが「ＯＮ」とされて「１」を示すようになる（Ｓ４０７）。
【００７０】
以上の処理により、時制フラグが「０」であれば、テープ印刷装置１での時間表示（時間印刷）に１２時間制が用いられる（図１４参照）。一方、時制フラグが「１」であれば、テープ印刷装置１での時間表示（時間印刷）に２４時間制が用いられる（図１５参照）。なお、本実施の形態では、製造者がテープ印刷装置１の仕向け地として「ＣＡＮＡＤＡ」を選択しているため、上記の処理によって１２時間制が用いられるように時制フラグが「０」にセットされる。このように、時制設定処理（Ｓ１５）では、テープ印刷装置１の仕向け地に応じて、ユーザにとって最適な時制を自動的に設定することができる。
【００７１】
以上、第２の実施の形態に係るテープ印刷装置１によれば、製造者が任意に設定したテープ印刷装置１の仕向け地を特定し、それに応じて１２時間制及び２４時間制のいずれかを用いて時間を表示するようにした。よって、１２時間制及び２４時間制を用いた時間表示を切り替えるための操作を必要とせずに、ユーザに応じた最適な時制で時間表示（時間印刷）を実行することができる。
【００７２】
次に、本発明を実施するための第３の形態の形態について、図面を参照して説明する。本実施の形態に係るテープ印刷装置１は、基本的に第１及び第２の実施の形態にかかるものと同一であるが、時間表示（時間印刷）に用いられる時制の選択方法が異なる。以下、第１及び第２の実施の形態と異なる点について説明する。
【００７３】
まず、本実施の形態に係るテープ印刷装置１では、その製造時（製品出荷前）に以下の機能設定（出荷前設定処理）が実行されることを前提とする。図２５は、第３の実施の形態における、出荷前設定処理のメインフローチャートである。図２６は、キーボード種類パラメータ設定画面４ｈの具体例を示す図である。なお、テープ印刷装置１の出荷前設定処理では、第２の実施の形態と同様に、製造者等が液晶表示部４に表示させた初期機能設定画面からキーボード部３を用いて各種機能設定を実行するものとし、テープ印刷装置１の製品完成から製品出荷までの任意のタイミングで製造者が実行すればよい。
【００７４】
図２５に示すように、テープ印刷装置１の出荷前設定処理は、第２の実施の形態（図１９）と同様であるが、仕向けパラメータ設定処理（Ｓ３０３）に代えて、キーボード部３の種類（すなわち、キーボード部３の対象国や対象地域）を設定するキーボード種類パラメータ設定処理が実行される（Ｓ５０３）。Ｓ５０３のキーボード種類パラメータ設定処理では、図２６に示すようなキーボード種類パラメータ設定画面４ｈが液晶表示部４に表示され、製造者はこのキーボード種類パラメータ設定画面４ｈからキーボード部３の対象国（対象地域）を任意に設定することができる。本実施の形態では、あらかじめ設定されている複数のキーボード種類から、製造者がキーボード部３の対象国（対象地域）として「ＵＳＡ」を選択したものとする。
【００７５】
なお、Ｓ５０１のコントラスト設定処理は、第２の実施の形態（図１９のＳ３０１，図２０参照）と同様である。また、Ｓ５０５のメカ動作パラメータ設定処理は、第２の実施の形態（図１９のＳ３０５，図２２参照）と同様である。また、Ｓ５０７のＩＦ通信パラメータ設定処理は、第２の実施の形態（図１９のＳ３０７，図２３参照）と同様である。
【００７６】
以上のようにして、テープ印刷装置１の出荷前設定処理が実行されると、テープ印刷装置１に各種初期機能が設定されて、その仕向け地に向けて出荷可能となる。Ｓ５０１乃至Ｓ５０７で設定された内容は、ＲＡＭ１０３の機能設定記憶エリア（図示外）に記憶される。そして、テープ印刷装置１の初期起動時には、この機能設定記憶エリア（図示外）に設定された内容に基づいて各種動作が実行されることになる。
【００７７】
次に、上記のように出荷前機能設定が実行されたテープ印刷装置１の動作について、図２７を参照して説明する。図２７は、第３の実施の形態における、図１１のＳ１５に示される時制設定処理の詳細を示すフローチャートである。本実施の形態に係るテープ印刷装置１の動作は、第１の実施の形態（図１１）と基本的に同一であるが、前述の時制設定処理（Ｓ１５）の処理内容が異なる。以下、第１の実施の形態（図１１）と異なる点のみを説明する。
【００７８】
図２７に示すように、本実施形態の時制設定処理では、まずキーボード部３の種類が特定される（Ｓ６０１）。このキーボード種類の特定は、前述の出荷前設定処理（図２５）のキーボード種類パラメータ設定処理（Ｓ５０３）でＲＡＭ１０３の機能設定記憶エリア（図示外）に設定されたキーボード種類を参照して行われる。そして、Ｓ６０１でキーボード種類が「ＵＳＡ」であるか否かが判定される（Ｓ６０３）。
【００７９】
Ｓ６０１で特定されたキーボード種類が「ＵＳＡ」であれば（Ｓ６０３：ＹＥＳ）、テープ印刷装置１の使用言語が特定される（Ｓ６０１）。この使用言語の特定は、メイン処理（図１１）の言語設定処理（Ｓ１１）で設定された使用言語を参照して行われる。そして、Ｓ６０５で特定された使用言語が、本実施の形態において、例えば「英語」，「スペイン語」，「フランス語」のいずれかであれば（Ｓ６０７：ＹＥＳ）、時制フラグ記憶領域１３３に記憶される時制フラグが「ＯＦＦ」とされて「０」を示すようになる（Ｓ６０９）。一方、Ｓ６０１で特定されたキーボード種類が「ＵＳＡ」以外である場合（Ｓ６０３：ＮＯ）や、Ｓ６０５で特定された使用言語が「英語」，「スペイン語」，「フランス語」のいずれかにも該当しない場合（Ｓ６０７：ＮＯ）は、当該時制フラグが「ＯＮ」とされて「１」を示すようになる（Ｓ６１１）。
【００８０】
以上の処理により、時制フラグが「０」であれば、テープ印刷装置１での時間表示（時間印刷）に１２時間制が用いられる（図１４参照）。一方、時制フラグが「１」であれば、テープ印刷装置１での時間表示（時間印刷）に２４時間制が用いられる（図１５参照）。なお、本実施の形態では、製造者がキーボード部３の対象国（対象地域）として「ＵＳＡ」を選択しており、かつユーザが使用言語として「Ｅｎｇｌｉｓｈ」を選択しているため、上記の処理によって１２時間制が用いられるように時制フラグが「０」にセットされる。このように、時制設定処理（Ｓ１５）では、キーボード部３の種類とテープ印刷装置１の使用言語に応じて、ユーザにとって最適な時制を自動的に設定することができる。
【００８１】
以上、第３の実施の形態に係るテープ印刷装置１によれば、製造者が任意に設定したキーボード部３の種類と、ユーザが任意に設定した使用言語とを特定し、それらの組み合わせに応じて１２時間制及び２４時間制のいずれかを用いて時間を表示するようにした。よって、１２時間制及び２４時間制を用いた時間表示を切り替えるための操作を必要とせずに、ユーザに応じた最適な時制で時間表示（時間印刷）を実行することができる。
【００８２】
ところで、上記第３の実施の形態において、テープ印刷装置１が本発明の「電子機器」に相当し、ＲＴＣ回路１９が本発明の「時計手段」に相当し、液晶表示部４が本発明の「時間表示手段」に相当し、メイン処理（図１１）の時制設定処理（Ｓ１５）を実行するＣＰＵ１０２が本発明の「使用環境特定手段」及び「時制選択手段」に相当し、時制フラグに応じて時間表示を実行するＣＰＵ１０２が本発明の「時間表示制御手段」に相当する。また、サーマルヘッド１１が本発明の「印刷手段」に相当し、フォーマット設定画面４ｂ，４ｃから印刷フォーマットを設定するためのキーボード部３が本発明の「印刷フォーマット設定手段」に相当する。
【００８３】
なお、第３の実施の形態において、液晶表示部４が本発明の「表示手段」に相当し、言語設定画面４ａから使用言語を設定するためのキーボード部３が本発明の「言語設定手段」に相当し、キーボード種類パラメータ設定画面４ｈからキーボード種類を設定するためのキーボード部３が本発明の「環境情報設定手段」に相当し、キーボード部３の種類が本発明の「環境情報」に相当する。
【００８４】
なお、本発明は上記実施形態に限定されることはなく、本発明の要旨を逸脱しない範囲内で種々の改良、変形が可能であることは勿論である。上記実施の形態では、「電子機器」としてテープ印刷装置１を例示したが、１２時間制及び２４時間制を用いて時間表示を制御する時計機能を有する電子機器であれば、ファクシミリ，携帯電話，パーソナルコンピュータ，テレビ，ビデオ，ラジオなどの各種機器に本発明を適用することができる。
【００８５】
また、上記実施の形態では、「使用環境」をテープ印刷装置１の使用対象国（使用対象地域）として、それがアメリカ又はカナダであると判断できる場合に１２時間制の時間表示（時間印刷）を行うようにしている。しかし、１２時間制又は２４時間制のいずれを用いるかを適切に判別できるのであれば、「使用環境」として他の情報を用いてもよい。例えば、「使用環境」をテープ印刷装置１のユーザ国籍として、テープ印刷装置１のユーザ国籍がアメリカ人又はカナダ人であると判断できる場合に、１２時間制の時間表示（時間印刷）を行うようにしてもよい。
【００８６】
また、第１の実施の形態では、「接続又は内蔵されている機器」としてキーボード部３を例示しているが、ＵＳＢ（図示外）やテープカセット５１などの他の機器から検出される情報に基づいて、テープ印刷装置１の使用対象国（使用対象地域）を判別するようにしてもよい。また、「環境情報」としてソルダーポイント５を検出しているが、キーボード部３の製造番号やテープカセット５１の識別番号などを検出するようにしてもよい。
【００８７】
また、第２の実施の形態では、製造者が任意に「使用環境」としてテープ印刷装置１の仕向け地を設定しているが、ユーザが任意にテープ印刷装置１の仕向け地を設定するようにしてもよい。つまり、テープ印刷装置１が１２時間制又は２４時間制のいずれを用いるかを判別するために必要な情報は、ユーザ又は製造者のいずれが設定したものでもよい。
【００８８】
また、第３の実施の形態では、ユーザにより設定された「使用言語」と製造者により設定された「環境情報」との組み合わせに基づいて１２時間制又は２４時間制のいずれを用いるかを判別しているが、「使用言語」のみに基づいて判別してもよいし、「環境情報」のみに基づいて判別してもよい。また、前述のように、「環境情報」は、キーボード部３の種類に限定されず、ＵＳＢ（図示外）のＩＤ番号やテープカセット５１の製造番号などの各種情報を利用することができる。
【００８９】
なお、上記実施の形態では、時制設定処理（Ｓ１５）を「時制設定キー」が選択された場合に実行しているが、時制設定処理（Ｓ１５）は任意のタイミングで実行可能である。よって、テープ印刷装置１の起動開始時（初期設定（Ｓ１）の実行時）に、自動的に時制設定処理（Ｓ１５）が実行されるようにしてもよい。これにより、ユーザによる「時制設定キー」の操作を必要とせず、テープ印刷装置１はその起動時から当該ユーザに応じた時制の時間表示（時間印刷）を実行することができる。
【産業上の利用可能性】
【００９０】
本発明の時計機能を有する電子機器及び印刷装置は、１２時間制及び２４時間制を用いて時間表示を制御するテープ印刷装置などに利用できる。
【図面の簡単な説明】
【００９１】
【図１】本発明の第１の実施の形態における、テープ印刷装置１のテープ収納部の蓋を取り去った状態を示す平面図である。
【図２】テープカセット５１の斜視図である。
【図３】テープカセット５１の底面図である。
【図４】上ケース５２を取り外した状態の下ケース５３の平面図である。
【図５】テープ印刷装置１の制御構成を示すブロック図である。
【図６】ＲＯＭ１０２の構成を示す模式図である。
【図７】１２時間制フォーマット記憶エリア１２３ａの構成を示す模式図である。
【図８】２４時間制フォーマット記憶エリア１２３ｂの構成を示す模式図である。
【図９】ＲＡＭ１０３の構成を示す模式図である。
【図１０】ＣＰＵ１０１とキーボード部３とを接続するソルダーポイント５の構成図である。
【図１１】テープ印刷装置１のメインフローチャートである。
【図１２】言語設定画面４ａの具体例を示す図である。
【図１３】第１の実施の形態における、時制設定処理（Ｓ１５）の詳細を示すフローチャートである。
【図１４】液晶表示部４における１２時間単位の時間表示を示す具体例である。
【図１５】液晶表示部４における２４時間単位の時間表示を示す具体例である。
【図１６】時間印刷処理（Ｓ１９）の詳細を示すフローチャートである。
【図１７】フォーマット設定画面４ｂの具体例を示す図である。
【図１８】フォーマット設定画面４ｃの具体例を示す図である。
【図１９】第２の実施の形態における、出荷前設定処理のメインフローチャートである。
【図２０】コントラスト設定画面４ｄの具体例を示す図である。
【図２１】仕向けパラメータ設定画面４ｅの具体例を示す図である。
【図２２】メカ動作パラメータ設定画面４ｆの具体例を示す図である。
【図２３】ＩＦ通信パラメータ設定画面４ｇの具体例を示す図である。
【図２４】第２の実施の形態における、時制設定処理（Ｓ１５）の詳細を示すフローチャートである。
【図２５】第３の実施の形態における、出荷前設定処理のメインフローチャートである。
【図２６】キーボード種類パラメータ設定画面４ｈの具体例を示す図である。
【図２７】第３の実施の形態における、時制設定処理（Ｓ１５）の詳細を示すフローチャートである。
【符号の説明】
【００９２】
１    テープ印刷装置
２    テープカセット収納部
３    キーボード部
４    液晶表示部
５    ソルダーポイント
１１    サーマルヘッド
１９    ＲＴＣ回路
６７    印字テープ
１００    制御装置
１０１  ＣＰＵ
１０２  ＲＯＭ
１０３  ＲＡＭ
１２１    プログラム記憶領域
１２２    データ記憶領域
１２３    時制フォーマット記憶領域
１２３ａ    １２時間制フォーマット記憶エリア
１２３ｂ    ２４時間制フォーマット記憶エリア
１３３    時制フラグ記憶領域
１３４    機能設定記憶領域
【図１】
0004710631.tif 000002
【図２】
0004710631.tif 000003
【図３】
0004710631.tif 000004
【図４】
0004710631.tif 000005
【図５】
0004710631.tif 000006
【図６】
0004710631.tif 000007
【図７】
0004710631.tif 000008
【図８】
0004710631.tif 000009
【図９】
0004710631.tif 000010
【図１０】
0004710631.tif 000011
【図１１】
0004710631.tif 000012
【図１２】
0004710631.tif 000013
【図１３】
0004710631.tif 000014
【図１４】
0004710631.tif 000015
【図１５】
0004710631.tif 000016
【図１６】
0004710631.tif 000017
【図１７】
0004710631.tif 000018
【図１８】
0004710631.tif 000019
【図１９】
0004710631.tif 000020
【図２０】
0004710631.tif 000021
【図２１】
0004710631.tif 000022
【図２２】
0004710631.tif 000023
【図２３】
0004710631.tif 000024
【図２４】
0004710631.tif 000025
【図２５】
0004710631.tif 000026
【図２６】
0004710631.tif 000027
【図２７】
0004710631.tif 000028